(57)【要約】【課題】  底面壁を有しながら展開が容易に行えるゴミ収納庫の提供。【解決手段】  基部１と、基部１に連結した折り畳み自在な展開部２と、展開部２の上面を塞ぐ蓋体３と、展開部２の底面を塞ぐ底面壁４とを備え、展開部２は、前面壁５と、基部１と前面壁５とを連結する内折れ可能な左右の側面壁６，６とを有し、底面壁４は、後端部を基部１に連結して起倒自在としてあり、左右の側面壁６，６には、内側に向けて突出し、底面壁４を倒す際に底面壁４の側縁部と摺接可能な底面壁摺接部７を前後方向に沿って設けてある。【選択図】      図１
2018177501.tif 000002
【特許請求の範囲】
【請求項１】
基部と、基部に連結した折り畳み自在な展開部と、展開部の上面を塞ぐ蓋体と、展開部の底面を塞ぐ底面壁とを備え、展開部は、前面壁と、基部と前面壁とを連結する内折れ可能な左右の側面壁とを有し、底面壁は、後端部を基部に連結して起倒自在としてあり、左右の側面壁には、内側に向けて突出し、底面壁を倒す際に底面壁の側縁部と摺接可能な底面壁摺接部を前後方向に沿って設けてあることを特徴とするゴミ収納庫。
【請求項２】
底面壁の起倒操作を基部の外側から行うための操作部を有することを特徴とする請求項１記載のゴミ収納庫。
【請求項３】
基部の下端部に前後方向にのびる脚部を備え、脚部は、前後方向に移動可能であることを特徴とする請求項１又は２記載のゴミ収納庫。
【発明の詳細な説明】
【技術分野】
【０００１】
本発明は、折り畳み式のゴミ収納庫に関する。
【背景技術】
【０００２】
従来より、各町内で燃えるゴミなどを集めるために折り畳み式のゴミ収納庫が採用されている。この種のゴミ収納庫として特許文献１には、箱基部１と、箱基部１に対して折畳み収納される展開部２と、展開部２の上面を塞ぐ蓋体３と、展開部２の底面を塞ぐ底面壁４とからなるものが記載されている。底面壁４は、後端部が水平軸で箱基部１の下部に連結してあり、展開部２を収納した状態では垂直に起立した姿勢となり、展開部２を展開したときには水平に倒される。
上記のゴミ収納庫は、使用時には前面壁を前方に引き出して展開部２を展開した後、底面壁４を水平に倒すが、そのときに展開部２の左右の壁が内側に若干折れ曲がっていることがあり、そうすると底面壁４の前端部が左右の壁の金網部分に引っ掛かり、底面壁４を倒せないことがあった。
【先行技術文献】
【特許文献】
【０００３】
【特許文献１】特開２００３−８１２６４号公報
【発明の概要】
【発明が解決しようとする課題】
【０００４】
本発明は以上に述べた実情に鑑み、底面壁を有しながら展開が容易に行えるゴミ収納庫の提供を目的とする。
【課題を解決するための手段】
【０００５】
上記の課題を達成するために請求項１記載の発明によるゴミ収納庫は、基部と、基部に連結した折り畳み自在な展開部と、展開部の上面を塞ぐ蓋体と、展開部の底面を塞ぐ底面壁とを備え、展開部は、前面壁と、基部と前面壁とを連結する内折れ可能な左右の側面壁とを有し、底面壁は、後端部を基部に連結して起倒自在としてあり、左右の側面壁には、内側に向けて突出し、底面壁を倒す際に底面壁の側縁部と摺接可能な底面壁摺接部を前後方向に沿って設けてあることを特徴とする。
【０００６】
請求項２記載の発明によるゴミ収納庫は、請求項１記載の発明の構成に加え、底面壁の起倒操作を基部の外側から行うための操作部を有することを特徴とする。
【０００７】
請求項３記載の発明によるゴミ収納庫は、請求項１又は２記載の発明の構成に加え、基部の下端部に前後方向にのびる脚部を備え、脚部は、前後方向に移動可能であることを特徴とする。
【発明の効果】
【０００８】
請求項１記載の発明によるゴミ収納庫は、左右の側面壁に内側に向けて突出し、底面壁を倒す際に底面壁の側縁部と摺接可能な底面壁摺接部を前後方向に沿って設けてあることで、左右の側面壁が若干内側に折れ曲がっていても、底面壁を倒すにつれて側面壁がまっすぐに伸び、底面壁が側面壁の金網部分に引っ掛かることがないので、展開が容易に行える。さらに本発明のゴミ収納庫は、展開部の底面を塞ぐ底面壁を有していることで、底面壁により展開部のゆがみを規制し、展開部の形態を維持することができる。
【０００９】
請求項２記載の発明によるゴミ収納庫は、底面壁の起倒操作を基部の外側から行うための操作部を有しているので、底面壁の起倒操作を展開部の中に手を入れることなく外から行えるので、展開及び収納が一層容易に行える。
【００１０】
請求項３記載の発明によるゴミ収納庫は、基部の下端部に前後方向にのびる脚部を備えていることで、安定して自立し、しかも脚部は前後方向に移動可能であるため、設置場所の状況に応じて脚部の前後位置を調整し、障害物等があったりしても問題なく設置できる。
【図面の簡単な説明】
【００１１】
【図１】図３のＡ−Ａ断面図である。
【図２】図３のＢ−Ｂ断面図である。
【図３】本発明のゴミ収納庫の一実施形態を示す正面図である。
【図４】同ゴミ収納庫の側面図である。
【図５】同ゴミ収納庫の平面図である。
【図６】展開部を展開した後、底面壁を倒すときの状態を示す横断面図である。
【図７】展開部を基部に収納した状態を示す縦断面図である。
【発明を実施するための形態】
【００１２】
以下、本発明の実施の形態を図面に基づいて説明する。図１〜５は、本発明に係るゴミ収納庫の一実施形態（展開状態）を示している。本ゴミ収納庫は、基部１と、基部１に対して折り畳み収納される展開部２と、展開部２の上面を塞ぐ蓋体３と、展開部２の底面を塞ぐ底面壁４とを備えている。
【００１３】
図１，２に示すように、基部１は、前方が開放した箱状に形成してあり、背面と側面と上面の開口部には金網１０が取付けてある。基部１の左右の側面の下部には、図３〜５に示すように、Ｌ形の脚部取付金具１１が設けてあり、脚部取付金具１１に前後方向にのびる板状の脚部９がボルト１２で取付けてある。このような脚部９を備えることで、本ゴミ収納庫は地面にアンカーボルトで固定したりしなくても、安定して自立する。
脚部９には、図５に示すように、ボルト１２と螺合する雌ねじ孔１３が前後方向に間隔をおいて複数設けてあり、これにより脚部９の取付位置を前後方向に調整できるようになっている。したがって、設置場所の状況に応じて脚部９の前後位置を調整し、後側に障害物等があったりしても問題なく本ゴミ収納庫を設置できる。
【００１４】
展開部２は、図１，２に示すように、前面壁５と、基部１と前面壁５とを連結する内折れ可能な左右の側面壁６，６とを有している。前面壁５は、図３に示すように、金属製のアングル１４とフラットバー１５とで組んだフレームに金網１０を貼り付けて構成してある。前面壁５の下部前面には、展開部２を引き出したり収納したりする際に手を掛ける取っ手１６が取付けてある。また、前面壁５の下面には、キャスター取付板１７が取付けてあり、キャスター取付板１７にキャスター１８が取付けてある。前面壁５は、左右両側を左右の側面壁６，６の前端部に蝶番１９で連結してある。
【００１５】
左右の側面壁６は、図１，２に示すように、前側板６ａと後側板６ｂの２枚の板を蝶番２０で連結し、内折れ可能に設けてあり、後端部が蝶番２１で基部１の後側に連結してある。左右の側面壁６は、上部が斜め４５°に傾斜している。前側板６ａと後側板６ｂは、それぞれ金属製のアングル１４で組んだフレームに金網１０を貼り付けて構成してある。後側板６ｂには、上下方向の中間部にＴ字形断面の横桟２２が前後方向に取付けてあり、横桟２２には板状の底面壁摺接部７を一体に有している。底面壁摺接部７は、図１に示すように、側面壁６の内側面２３よりも内側に突出しており、前端部と後端部とに外側に向けて斜めに傾斜するように面取り２４が施されている。
【００１６】
蓋体３は、図２，５に示すように、後端部が基部１の前面上部に取付けた支持金具２５に水平軸２６で軸支してあり、展開部２の左右の側面壁６，６及び前面壁５の上縁部に乗っかり、展開部２の上面を塞いでいる。蓋体３の前端部の左右両側には、図４に示すように、垂下片２７が設けてあり、垂下片２７が左右の側面壁６，６の外側に当接することで、展開部２のゆがみを規制している。蓋体３の前端部上面には、展開・収納時に蓋体３を上に持ち上げるための取っ手２８が設けてある。さらに蓋体３は、図３，５に示すように、上向きに観音開き状に開く扉２９，２９を有している。
【００１７】
底面壁４は、図１に示すように、金属製のアングル１４とフラットバー１５で組んだフレームに金網１０を貼り付けて形成してあり、後端部を蝶番３０で基部１に連結し、起倒自在に設けてある。展開時には底面壁４は水平に倒され、底面壁４の前部が前面壁５の下部に取付けたキャスター取付板１７の上に乗っかり、展開部２の底面を塞いでいる。
底面壁４の後端部には、図１に示すように、略Ｌ字形の操作レバー８が取付けてあり、操作レバー８は基部１の側壁を貫通して基部１の外に出ており、持ち手部８ａが底面壁４と同じ方向を向いている。よって本ゴミ収納庫は、操作レバー８を操作することで、底面壁４に触れることなく底面壁４の起倒操作が行える。基部１の側面には、図４，５に示すように、底面壁４を垂直に起こしたときに操作レバー８を引っ掛けておくための操作レバー係止具３１を有している。
【００１８】
展開した状態から収納する際の操作方法を説明する。まず、操作レバー８を操作して底面壁４を垂直に起こし、操作レバー８を操作レバー係止具３１に引っ掛ける。すると、底面壁４が垂直に起立した状態に保持される。その後、蓋体３の取っ手２８を片方の手で掴んで蓋体３を上に持ち上げつつ、もう片方の手で前面壁５の取っ手１６を持って後方に押す。すると左右の側面壁６，６が内折れして折り畳まれ、図７に示すように、展開部２が基部１内に収納される。その後、取っ手２８を離すと蓋体３が自重で下向きに回動し、蓋体３が折り畳まれた展開部２を前方から押えるような形で基部１の前面開口部を塞ぐ。
【００１９】
収納した状態から展開する際の操作方法を説明する。まず、蓋体３の取っ手２８を片方の手で掴んで蓋体３を上に持ち上げつつ、もう片方の手で前面壁５の取っ手１６を持って前方に引き出し、展開部２を展開させる。その後、操作レバー８を操作して底面壁４を前方に倒す。このとき、図６に示すように、左右の側面壁６，６が完全に伸びきっておらず、若干内折れした状態となっていることがあるが、その場合でも底面壁４の側縁部が左右の側面壁６，６に内側に突出して設けた底面壁摺接部７，７に摺接することで、底面壁４を倒すにつれて左右の側面壁６，６がまっすぐに伸び、底面壁４が左右の側面壁６，６の金網１０部分に引っ掛かることがない。
【００２０】
以上に述べたように本ゴミ収納庫は、左右の側面壁６，６に内側に向けて突出し、底面壁４を倒す際に底面壁４の側縁部と摺接可能な底面壁摺接部７，７を前後方向に沿って設けてあることで、左右の側面壁６，６が若干内側に折れ曲がっていても、底面壁４を倒すにつれて側面壁６，６がまっすぐに伸び、底面壁４が側面壁６，６の金網１０部分に引っ掛かることがないので、展開が容易に行える。
さらに本ゴミ収納庫は、底面壁４の起倒操作を基部１の外側から行うための操作部（操作レバー８）を有しているので、底面壁４の起倒操作を展開部２の中に手を入れることなく外から行えるので、展開及び収納が一層容易に行える。
また本ゴミ収納庫は、基部１の下端部に前後方向にのびる脚部９を備えていることで、安定して自立し、しかも脚部９は前後方向に移動可能であるため、設置場所の状況に応じて脚部９の前後位置を調整し、障害物等があったりしても問題なく設置できる。
さらに本ゴミ収納庫は、展開部２の底面を塞ぐ底面壁４を有していることで、底面壁４により展開部２のゆがみを規制し、展開部２の形態を維持することができると共に、地面がゴミで汚れるのを防ぐことができる。
【００２１】
本発明は以上に述べた実施形態に限定されない。基部、展開部、蓋体及び底面壁の構造、形態、材質は、適宜変更することができる。底面壁摺接部や操作部の形態は、適宜変更することができる。底面壁摺接部は、前後方向に対して斜めに傾斜して設けてあってもよい。
【符号の説明】
【００２２】
１  基部
２  展開部
３  蓋体
４  底面壁
５  前面壁
６  側面壁
７  底面壁摺接部
８  操作レバー（操作部）
９  脚部
【図１】
2018177501.tif 000003
【図２】
2018177501.tif 000004
【図３】
2018177501.tif 000005
【図４】
2018177501.tif 000006
【図５】
2018177501.tif 000007
【図６】
2018177501.tif 000008
【図７】
2018177501.tif 000009